(57)【要約】【課題】  食器の水洗いその他の台所作業のスペースを狭めることなく設置し得、かつ原水である水道水とその浄化のための粒状浄化剤との接触のチャンスを高めて効率的に浄水を行うことができること。【解決手段】  薄型箱状の容器部１ａ及びその背面側を閉じる蓋体とからなる浄水器本体１と、背面側の蓋体に開口した水道水受給用の受給口と、容器部１ａの前面側に開口した浄化済み水の吐出口３と、容器部１ａの内部の４区画の充填区画４ａ、４ｂ、４ｃ、４ｄと、各充填区画４ａ、４ｂ、４ｃ、４ｄに網袋５に収容した上で充填する粒状浄化剤６とで構成する。受給口は充填区画４ａ中に開口させ、吐出口３は充填区画４ｄ中に開口させる。また充填区画４ａ、４ｂ、４ｃ、４ｄはこの順序で相互を連通させる。【選択図】  図２
0003102905.tif 000002
【実用新案登録請求の範囲】
【請求項１】
箱状の浄水器本体と、
該浄水器本体の背面側に開口する水道水受給用の受給口であって、後記充填区画の一つに開口する受給口と、
該浄水器本体の前面側に開口する浄化済み水の吐出口であって、後記充填区画の他の一つに開口する吐出口と、
該浄水器本体の内部を区分した複数の充填区画であって、前記受給口を開口させたそれから吐出口を開口させたそれまで、隣接する相互間に形成した連通口を通じて順次接続させた複数の充填区画と、
各充填区画に網袋に収容した状態で充填する粒状浄化剤と、
で構成した水道水浄化用の浄水器。
【請求項２】
前記充填区画を、前記浄水器本体の内部を二つに区画し、前記受給口と前記吐出口とをその両側に位置させるべく、中央に配した中央区画壁と、該中央区隔壁の途中から各々これに直角に、かつそのいずれかの側に該受給口又は該吐出口が位置するように、両側に延長し、各々その途中から該受給口又は該吐出口の位置する側と反対側に直角に曲げて該浄水器本体の対応する周壁まで延長した側部区画壁とで構成し、
更に前記連通口を、両側の側部区画壁の端部と浄水器本体の周壁との接続部、及び両側の側部区画壁の接続した中央区隔壁の受給口又は吐出口と反対側の部位に開口した請求項１の水道水浄化用の浄水器。
【考案の詳細な説明】
【技術分野】
【０００１】
本考案は、水道の蛇口の直前のコックより下流側に挿入して使用する水道水浄化用の浄水器に関するものである。
【背景技術】
【０００２】
水道の蛇口に直結し、又は何らかの配管等を介して蛇口に接続する水道水浄化用の浄水器には数多くの提案がある。
【０００３】
例えば、原水である水道水をそのまま通過させる原水モードや、これを浄化した上で吐出する浄水モード、更には逆洗モードを備え、かつそのような各モードを間違いなく操作できるようにした浄水器（特許文献１）、使用停止時に濾過材容器内に水を残留させないモードと、水を残留させるモードとを使用者の希望により選択できるようにした浄水器（特許文献２）、種々の吸着剤を充填した浄化カートリッジの交換時期等の情報を使用者に分かりやすく表示できるようにした浄水器（特許文献３）、蛇口から受け入れた原水である水道水を種々の吸着剤を充填した浄化カートリッジで浄化する際に、使用者が表示を見ながら蛇口の開度を調節でき、十分に浄化した浄水を得ることができるようにした浄水器（特許文献４）、蛇口に接続される本体と濾過部とが一体化され、その本体の上部に原水入口が設けられ、下部に原水出口と浄水出口とが接近して設けられ、更に濾過部が本体の斜め４５度後方に縦型の姿勢で設けられたものであり、蛇口に取り付けた際に、手元の視界が広く、かつ手元部を広々と使えるように考慮した簡易型の浄水器（特許文献５）、濾過材の充填容器としてホース型容器を用いることとし、小さなスペースで、水道水の残留塩素や不純物の除去を効率的に行おうとした家庭用浄水器等が提案されている。
【０００４】
このような家庭の蛇口直前のコックより下流側に配する浄水器は、一つには、その設置スペースをできるだけ小さくし、使用者の手元の作業スペースを狭めないようにすることが重要であり、もう一つは、そうでありつつできるだけ効率よく水道水の浄化を行えるものとすることが重要である。
【０００５】
前記各々の浄水器は、その設置場所の関係から、必ずしも使用者の手元の作業スペースに悪影響を与えないものではなく、かつその構造上、水道水の浄化を効率的に行えるものではない。
【０００６】
【特許文献１】実開平１０−９６号公報
【特許文献２】特開２００３−３０５４６０号公報
【特許文献３】特開２００３−２２５６５６号公報
【特許文献４】特開２００３−２１１１５６号公報
【特許文献５】実開平１１−１２３号公報
【特許文献６】実開平７−３４９９３号公報
【考案の開示】
【考案が解決しようとする課題】
【０００７】
本考案は、水道管の蛇口直前のコックより下流側に挿入して、食器の水洗いその他の台所作業のスペースを狭めることなく、かつ原水である水道水とその浄化のための粒状浄化剤との接触のチャンスを高めて効率的に浄水を行うことができる水道水浄化用の浄水器を提供することを解決の課題とするものである。
【課題を解決するための手段】
【０００８】
本考案の１は、箱状の浄水器本体と、
該浄水器本体の背面側に開口する水道水受給用の受給口であって、後記充填区画の一つに開口する受給口と、
該浄水器本体の前面側に開口する浄化済み水の吐出口であって、後記充填区画の他の一つに開口する吐出口と、
該浄水器本体の内部を区分した複数の充填区画であって、前記受給口を開口させたそれから吐出口を開口させたそれまで、隣接する相互間に形成した連通口を通じて順次接続させた複数の充填区画と、
各充填区画に網袋に収容した状態で充填する粒状浄化剤と、
で構成した水道水浄化用の浄水器である。
【０００９】
本考案の２は、本考案の１の水道水浄化用の浄水器に於いて、
前記充填区画を、前記浄水器本体の内部を二つに区画し、前記受給口と前記吐出口とをその両側に位置させるべく、中央に配した中央区画壁と、該中央区隔壁の途中から各々これに直角に、かつそのいずれかの側に該受給口又は該吐出口が位置するように、両側に延長し、各々その途中から該受給口又は該吐出口の位置する側と反対側に直角に曲げて該浄水器本体の対応する周壁まで延長した側部区画壁とで構成し、
更に前記連通口を、両側の側部区画壁の端部と浄水器本体の周壁との接続部、及び両側の側部区画壁の接続した中央区隔壁の受給口又は吐出口と反対側の部位に開口したものである。
【考案の効果】
【００１０】
本考案の１の水道水浄化用の浄水器によれば、その浄水器本体を家庭用の水道の蛇口直前のコックと蛇口との間に挿入してこれを使用することができる。該浄水器本体は箱状であり、これを薄型とし、配管の上部への突出量を少なくすれば、使用者のコックの操作に邪魔になることもなく、かつ該浄水器本体は蛇口より後方に位置するため、使用者の手前側での種々の作業に一切邪魔になることもない。更には、該浄水器本体の内部は複数の充填区画に区画され、各々の充填区画中に粒状浄化剤が充填されているため、受給口から導入された水道水は、各充填区画を順次通過して吐出口から吐出されることとなり、各充填区画の粒状浄化剤に十分かつ良好に接触することとなる。そのため水道水は、粒状浄化剤の性質に応じて、種々の臭い成分、各種の微小有機物、残留塩素分等が良好に除去されて蛇口より取り出すことができることとなる。
【００１１】
本考案の２の水道水浄化用の浄水器によれば、充填区画が適切に区画され、かつその連通口が適切な部位に位置することとなるため、前記受給口から導入される水道水は、各充填区画内を最大の距離を通って通過し、この過程で、該部位に充填されている粒状浄化剤に良好に接触することとなり、浄水効果を高めることができる。
【考案を実施するための最良の形態】
【００１２】
以下図面を参照しながら考案を実施するための最良の形態を説明する。
【００１３】
この実施の形態の浄水器は、図２、図３及び図５に示すように、箱状の浄水器本体１と、該浄水器本体１の背面側に開口する水道水受給用の受給口２と、該浄水器本体１の前面側に開口する浄化済み水の吐出口３と、該浄水器本体１の内部を区分した４区画の充填区画４ａ、４ｂ、４ｃ、４ｄと、各充填区画４ａ〜４ｄに網袋５に収容した状態で充填する粒状浄化剤６とで構成したものである。
【００１４】
前記浄水器本体１は、図１〜図５に示すように、弁当箱状の薄型に構成した容器部１ａと背面側を閉じる蓋体１ｂとで構成する。該容器部１ａは、ステンレススチールの板材から前面が開口した薄型箱状にプレス加工により構成し、その内部を、特に図２及び図５に示すように、ステンレススチールの帯状部材で構成した中央区隔壁７ａ及び側部区画壁７ｂによって区画する。
【００１５】
該中央区隔壁７ａは、該容器部１ａを、その中央部に縦方向に配して両側に二つの空間を構成すべく配する。該中央区隔壁７ａは、一本の帯状部材で構成することもできるが、この例では、上下二本の帯状部材を直列に繋いで構成してある。二本の帯状部材は、図２及び図５中で上方に位置するそれが全長の約１／３の長さを占め、下方に位置するそれが全長の約２／３の長さを占めるように設定してある。また該中央区隔壁７ａは、それぞれ該帯状部材の下端に９０度に折曲した結合片が配してあり、これを該容器部１ａの前面側内面に溶接固定して該位置に固定してあるものである。
【００１６】
前記側部区画壁７ｂは、図２及び図５に示すように、前記中央区隔壁７ａの両側に対称状態になるように配設する。該側部区画壁７ｂは、該中央区隔壁７ａの上下のそれの結合部分を直交するように、同様の帯状部材を配し、かつ両側の途中を下方に直角に折曲し、両外端を前記容器部１ａの下方の周壁の直前まで延長した状態に構成する。該帯状部材は、前記中央区隔壁７ａのそれと同様に、下端に９０度に折曲した結合片が配してあり、これを該容器部１ａの前面側内面に溶接固定して該位置に固定してあるものである。
【００１７】
こうして該容器部１ａ内は、前記中央区隔壁７ａ及び前記側部区画壁７ｂによって区画され、図２及び図５中で、右上、右下、左下、左上の順に充填区画４ａ、４ｂ、４ｃ、４ｄと称する区画が構成されたことになる。
【００１８】
前記充填区画４ａ、４ｂ間には、図２、図３(c)及び図５に示すように、前記側部区画壁７ｂの右側の端部と前記容器部１ａの下方の周壁との間に隙間が空けてあり、これがその間の連通口８ａとして機能し、また前記充填区画４ｃ、４ｄ間には、図２、図３(a)及び図５に示すように、前記側部区画壁７ｂの左側の端部と前記容器部１ａの下方の周壁との間に隙間が空けてあり、これがその間の連通口８ｂとして機能するようになっている。
【００１９】
更に前記充填区画４ｂ、４ｃ間には、図２、図３(b)及び図５に示すように、前記中央区隔壁７ａの途中で、これに直交状態に交差する側部区画壁７ｂの直下（図２、図５中）の部位に３本のスリットが形成してあり、これらがその間の連通口８ｃとして機能するようになっている。
【００２０】
前記受給口２は、図３(a)、(b)、(c)及び図５に示すように、右側の充填区画４ａの上部側に開口し、前記中央区隔壁７ａの右側直近に位置する位置関係で、前記容器部１ａの背面を閉じる蓋体１ｂに構成したものである。特に図３(a)〜(c)に示すように、後方に突出させ、その外周に雄ねじを形成し、これを利用して、水道管の図示しないコックより下流側のパイプ９ａに接続できるようにしたものである。
【００２１】
前記吐出口３は、図１、図２、図３(a)、(b)、図４及び図５に示すように、左側の充填区画４ｄの上部側に開口し、前記中央区隔壁７ａの左側直近に位置する位置関係で、前記容器部１ａの前面に構成したものである。特に図２、図３(a)、(b)及び図５に示すように、該充填区画４ｄ内に突出させ、その内周に図示しない雌ねじを形成し、これを利用して、蛇口用パイプ９ｂを接続できるようにしたものである。
【００２２】
前記蓋体１ｂは、前記容器部１ａの背面側に着脱自在に取り付けることもできるが、この例では、該容器部１ａの周壁後端から内側に折り返した接続片を利用して溶接固定したものである。なお、云うまでもなく、該蓋体１ｂを溶接固定する前に、各充填区画４ａ〜４ｄには網袋５に収容した粒状浄化剤６を充填しておく。
【００２３】
該網袋５の目開きは粒状浄化剤６の粒径より小さいものに設定すべきなのは云うまでもない。また粒状浄化剤６としては、種々のそれ、例えば、ヤシガラ活性炭、銀活性炭、ｐＨ調整剤、多孔質セラミック材、ゼオライト、無機イオン交換体等のいずれかを単独で、或いはいくつかを組み合わせて採用可能であるが、この例では、抗菌性を持ったセラミック粒材及び残留塩素を吸着する活性炭を採用し、これらの粒材を粒状浄化剤６として前記網袋５、５…に収納して前記各充填区画４ａ〜４ｄに充填したものである。
【００２４】
この実施の形態の浄水器は、以上のように構成したものであるから、図１及び図４に示すように、これを家庭用の水道の蛇口直前のコックの下流側のパイプ９ａと蛇口用パイプ９ｂとの間に挿入してこれを有用に使用することができる。
【００２５】
コックの下流側のパイプ９ａと浄水器との接続は、前記浄水器本体１の受給口２に、これに形成した雄ねじを利用して行い、蛇口用パイプ９ｂと浄水器との接続は、前記吐出口３の内周に形成した雌ねじを利用して行う。
【００２６】
浄水器を、このように取り付けると、前記浄水器本体１は箱状であり、これを薄型に構成し、かつ、図１及び図４に示すように、前記パイプ９ａの上部への突出高さが低いので、使用者によるコックの操作に邪魔になることもなく、かつ該浄水器本体１は蛇口より後方に位置するため、使用者の手前側での種々の作業に一切邪魔になることもない。
【００２７】
更には、前記浄水器本体１の内部は４個の充填区画４ａ〜４ｄに区画され、また各充填区画４ａ〜４ｄは、前記のように、前記連通口８ａ、８ｃ、８ｂによって接続され、前記受給口２から流入した水道水は、図４及び図５に示すように、順次、充填区画４ａから充填区画４ｄまで最長の道筋を通って流れ、吐出口３から流出するようになっており、各充填区画４ａ〜４ｄには粒状浄化剤６が充填されているため、該水道水は、粒状浄化剤６と十分に接触し、良好に浄化されて流出することとなる。
【図面の簡単な説明】
【００２８】
【図１】一実施形態の浄水器を水道のコックと蛇口との間に配した状態の概略斜視図。
【図２】一実施形態の浄水器の蓋体を除去した状態の概略背面図。
【図３】(a)は図２のＡ−Ａ線概略断面図、(b)は図２のＢ−Ｂ線概略断面図、(c)は図２のＣ−Ｃ線概略断面図。
【図４】水道水の流れを示した一実施形態の浄水器を水道のコックと蛇口との間に配した状態の概略側面図。
【図５】導入された水道水の流れを示した一実施形態の浄水器の蓋体を除去した状態の概略背面説明図。
【符号の説明】
【００２９】
１    浄水器本体
１ａ  容器部
１ｂ  蓋体
２    受給口
３    吐出口
４ａ、４ｂ、４ｃ、４ｄ  充填区画
５    網袋
６    粒状浄化剤
７ａ  中央区隔壁
７ｂ  側部区画壁
８ａ、８ｂ、８ｃ  連通口
９ａ  コックの下流側のパイプ
９ｂ  蛇口用パイプ
【図１】
0003102905.tif 000003
【図２】
0003102905.tif 000004
【図３】
0003102905.tif 000005
【図４】
0003102905.tif 000006
【図５】
0003102905.tif 000007